(57)【要約】【目的】この発明はエネルギー増幅に関するものであり、現実的にエネルギー増幅が有り得るものであることを示す例を創ったものであり、そういう例を示しかつ、実際工学的に観て、エネルギー分野で応用され、地球温暖化に歯止めが出来る可能性を示すことを目的とする。【構成】回転周方向に遠心力等を作用させる様工夫し、現実的に実測して追試験でも実際エネルギー増幅が出来る様  、細かく図を描いてその例を示した。【選択図】図１
2010043638.tif 000002
【特許請求の範囲】
【請求項１】
装置全体を水平から十分に傾け重力の作用が十分に働くように用意し、細長平板の中心に中心軸を持ち、両翼に、回転方向に向かって後ろ側に回転中心を持つ先端平板を回転の安定の為ゴムで判固定し、全体を回転させた時、先端の平板部が重力及び遠心力の作用で作動棒を回転駆動させ、周方向駆動を可能にさせ、かつ慣性モーメントが０．０−４程度以上の大きなものを持ち、その回転動力を入力の電気的エネルギー仕事率の３倍程度までに増幅する事を特徴とするエネルギー増幅機。
【請求項２】
請求項１の機構部を直流モーターの軸心に取り付け、かつ大きな慣性モーメントを持つモーターの一般的機械的負荷となるものの代わりとなる大きな慣性モーメントを持つ厚型平板を取り付け、直流モーターの電源として１００ボルト５０，６０ヘルツの商用交流電源からスライドトランスを経由したものをブリッジ整流器を通したものを使用し請求項１のエネルギー増幅器及び直流モーターの特殊性によって、大きく増幅率を上げ、電気的入力の３倍以上の機械的出力を出させ、大きな増幅率を持つ事を特徴とする請求項１のエネルギー増幅機。
【請求項３】
請求項１の回転体の後段に直流モーターに比較的大きなプーリーを取り付けたものをセットし、ベルトで前段の動力機関と連結し、前段の動力機関を作動させた時、入力の電気的大きさを交流電流計と商用１００ボルト、５０，６０ヘルツ電源で大きさを測り、電気的出力として後段の直流モーターの入力用リード線に加わる電圧を測定し、その電圧を二乗して、及びその後段の直流モーターの抵抗を測定しておいて、駆動させた時、その電気的出力を発生電圧の二乗したものをその抵抗値で割った値を採用し、出力の効率を良くして、電力を最大限利用する事を特徴とする、請求項１のエネルギー増幅器。
【発明の詳細な説明】
【技術分野】
【０００１】本発明は、ディスクグラインダー又は直流モーター及びスライドトランスを使用し、また駆動源の基礎として遠心力及び重力の合力を利用し、また大きな慣性モーメントを持つ回転体を使用して、エネルギー増幅機を構成させたものである。
【背景技術】
【０００２】力には自然に存在する重力、表面張力、静電気による力、磁気的力、又、物体の運動に伴って現れる遠心力、コリオリの力等が数々あるがここでは、そのうち重力及び遠心力の双方を利用してエネルギー増幅機の基礎とするものである。
【発明の開示】
【０００３】
【発明が解決しようとする課題】
【０００４】この発明が解決しようとする課題はいかにして自然界に存在する力を利用してエネルギーの増幅を行うかという点にある。
【課題を解決する為の手段】
【０００５】ここでは、すでに自然界に存在している重力及び遠心力と言う古来からある物理法則の組み合わせに依ってこの問題を解決した。
【発明の効果】
【０００６】エネルギー増幅機として、ディスクグラインダーへの電気的入力の３．０倍の電気的または機械的回転出力を得た。
【発明を実施する為の最良の形態】
【０００７】回転体は中心が十分にでていないと効率が下がるので注意しなければならない。
【実施例１】
【０００８】図１の如く、エネルギー増幅用構造物及び大きな慣性モーメントを持つ物体を強制回転させ始めると、エネルギー増幅用構造物の両翼にある平板が回転と同時に遠心力を持ち始め、作動棒を前面進行方向に押し出して行き、また、装置全体が斜め勾配を持っているので、重力の作用で左にきた時は作動棒に重力が働く。この様にしてエネルギー増幅がなされた。
この結果、ディスクグラインダーへの入力が、スライドトランスを使用して１９．５ボルト、３．８アンペアーで７４．１ワットに対して回転体が得た機械的回転出力は、トルク×回転角速度で、トルクは、回転体の回転慣性モーメント×１秒当りの回転角速度の変化量であるので、計算すると、回転体の慣性モーメントは、今、ここでは、全体の回転体の慣性モーメントから見ると、エネルギー増幅構造部の慣性モーメントは無視できるので、重さ２．５キログラムの大きな慣性モーメントの大きさを計算すると、その長手方向の長さは０．４５メートルで巾は０．０４メートルから、１／１２×｛（０．４５）×（０．４５）＋（０．０４）×（０．０４）｝、×２．５となりこれは、０．０４２５である。
また、単位時間当たりの回転角速度の変化量は、２４０×２×３．１４／６０で２５．１２になり、この結果回転体のトルクは、１．０６８となる。
又、回転角速度は、２０００×２×３．１４／６０でこれは２０９．３になる。
この結果、回転体の機械的回転出力は、この積で出力は、１．０６８×２０９．３で２２３．５ワットとなる。
このほか、回転体は、この重量物と同程度の長さの回転駆動構造物の慣性モーメントも加わるのでこの２２３．５ワット以上である。
この結果エネルギー増幅率は２２３．５／７４．１でこれは、３．０１である。
約３倍以上の増幅である。この結果はほんの一例であるので、各部の重さ、長さ、入力を変えることによって、増幅率も変わるものと思われる。
【実施例２】
【０００９】請求項２のタイプでは、メインの大きな慣性モーメントのその大きさは、重さ２．４キログラムで、その長手方向の長さは０．８２メートルで巾は０．０４メートルでその慣性モーメントを計算すると、１／１２×｛（０．８２）×（０．８２）＋（０．０４）×（０．０４）｝×２．４となり、これは、０．１３４８となる。機械的出力は、請求項１の方式で、その１秒当りの機械的出力の計算をすると、測定が６秒後の値とすると、その大きさは、（慣性モーメント）×（回転角速度）×（回転角速度）／６秒で、これは、回転角速度が，実測で１００７ＲＰＭから、１０５．７／秒であるので、機械的出力は、（１／６）×（０．１３４８）×（１０５．７）×（１０５．７）となり、これは、２５１ワットとなる。
従って、直流として使われる電気的入力が９９ボルト、０．９８アンペアより９８ワットであるので、増幅率は２．６倍となる。
【実施例３】
【００１０】請求項３では、遠心力及び重力駆動型動力機関の前段への電気的入力は、電圧は、１００ボルト、電流はアンペアメーターから１．４アンペアを計測した。１４０ワットである。
又、その出力は電気的で、直流モーターの発電作用から、電圧が１４．２ボルト、回路の抵抗が０．５オームであるので、その電気的出力は（１４．２）×（１４．２）／（０．５）で、４０３ワットである。これらの関係から、力率は２８８パーセントであった。
なお参考ですが、ここでの回転体の規模は重さが０．２５キログラム、長さは直径が０．４５メートルであった。
【産業上の利用可能性】
【００１１】増幅効果を利用して、小さいモーターの利用が考えられ、又省電力  省エネルギー、が期待出来る。現実的にエネルギーの増幅が出来た。
エネルギーは、具体的には、増幅というよりイギリスのホーキング博士の亜空間まで含めたブラックホール及びホワイトホールを通してのエネルギーの取り出し動作と見れば現実世界及び亜空間世界の合計のエネルギー保存則が保たれていると見る事も出来る。
又、原子、分子の世界を見てみれば、原子核の周りを回る電子はハイゼンベルグの不確定性原理によって、周りにエネルギーが無い絶対０度の世界でも、ゼロ点振動で運動しており、その運動は、常に方向を変え、電子の運動方向の延長線上から見れば必ず減速しており、その為制動放射に因り、周りからネルギーをもらわず、自ら放射によるエネルギーを出し続けるいわば永久機関の様な存在と見る事が出来る。
この様にいろいろの観点から見ればエネルギー増幅と見られるものも、上記の電子同様亜空間からのエネルギーの取り出しと見れば良く、それ程特殊な状態でなく、上記の原子核の周りの電子同様この世は永久機関様の物体によって成り立っていると観る事も出来る。又、実際的に請求項１、請求項２、請求項３のエネルギーの増幅によって、３倍の機械的なエネルギーの増幅、又電気的出力の増幅により、省電力が実現し、商用電源の量の軽減が出来れば、地球温暖化の元の二酸化炭素の削減が可能に成る。
【図面の簡単な説明】
【００１２】
【図１】図１は請求項１のエネルギー増幅機の構成を示す立面斜視図である。
【図２】図２は請求項２のエネルギー増幅器の構成を示す立面斜視図である
【図３】図３は請求項２のエネルギー増幅器の構成を示す立面斜視図である。
【符号の説明】
【００１３】▲１▼  細長平板
▲２▼  中心軸
▲３▼  先端平板
▲４▼  先端回転中心
▲５▼  作動棒
▲６▼  半固定ゴム
▲７▼  ディスクグラインダー
▲８▼  スライドトランス
▲９▼  １００ボルト、５０、６０ヘルツ商用電源
▲１０▼  大きな慣性モーメントの物体
▲１１▼  直流モーター
▲１２▼  ブリッジ整流器
▲１３▼  交流アンペアメーター
▲１４▼  直流ボルトメーター
１５  大直径プーリー
【図１】
2010043638.tif 000003
【図２】
2010043638.tif 000004
【図３】
2010043638.tif 000005